(57)【要約】【課題】  ガス放電と絶縁破壊の問題を防ぐ新しいプラズマディスプレイパネルを駆動する方法、回路とシステムを提供する。【解決手段】  本発明は、第一セットと第二セットに分かれる複数の第一行電極と、複数の第二行電極を有するフラットディスプレイ装置の駆動回路であって、第一既定波形を発生させる第一波形発生回路、及び、第二既定波形を発生させる第二波形発生回路を含み、第一期間で、前記第一波形発生回路が、前記第一既定波形を前記第一行電極の第一セットに出力し、前記第二波形発生回路が、前記第二既定波形を前記第二行電極に出力するようになっており、第二期間で、前記第一波形発生回路が、前記第一既定波形を前記第一行電極の第二セットに出力し、前記第二波形発生回路が、前記第二既定波形を前記第二行電極に出力するようになっているフラットディスプレイ装置の駆動回路である。【選択図】  図６
2005352484.tif 000002
【特許請求の範囲】
【請求項１】
第一セットと第二セットに分かれる複数の第一行電極と、複数の第二行電極を有するフラットディスプレイ装置の駆動回路であって、
第一既定波形を発生させる第一波形発生回路、及び、第二既定波形を発生させる第二波形発生回路を含み、
第一期間で、前記第一波形発生回路が、前記第一既定波形を前記第一行電極の第一セットに出力し、前記第二波形発生回路が、前記第二既定波形を前記第二行電極に出力するようになっており、
第二期間で、前記第一波形発生回路が、前記第一既定波形を前記第一行電極の第二セットに出力し、前記第二波形発生回路が、前記第二既定波形を前記第二行電極に出力するようになっているフラットディスプレイ装置の駆動回路。
【請求項２】
第一波形発生回路に接続される第一スイッチ、及び、第一波形発生回路に接続される第二スイッチを更に含み、
第一期間では、前記第一スイッチがオンとなり、第二期間では、第二スイッチがオンとなる請求項１に記載のフラットディスプレイ装置の駆動回路。
【請求項３】
第一波形発生回路は、第一期間で用いられ、第一既定波形を第一行電極の第一セットに出力する第一セット回路、と、第二期間で用いられ、第二既定波形を第一行電極の第二セットに出力する第二セット回路を含む請求項１に記載のフラットディスプレイ装置の駆動回路。
【請求項４】
行電極は、Ｘａ−Ｙ−Ｘｂの形式で循環配列されており、
Ｘａが第一行電極の第一セットを意味し、
Ｙが第二行電極を意味し、
Ｘｂが第一行電極の第一セットを意味し、
各隣接するＸａ電極とＹ電極の間は、奇数フィールドを含み、Ｘａ電極とＹ電極の間の電位差によって放電を起こし、奇数フィールドを表示するようになっており、
各隣接するＸｂ電極とＹ電極の間は、偶数フィールドを含み、Ｘｂ電極とＹ電極の間の電位差によって放電を起こし、偶数フィールドを表示するようになっている請求項１〜請求項３のいずれか１項に記載のフラットディスプレイ装置の駆動回路。
【請求項５】
第二波形発生回路と第二電極に接続されたスキャン集積回路板を更に含む請求項４に記載のフラットディスプレイ装置の駆動回路。
【請求項６】
第一セットと第二セットに分かれる複数の第一行電極と、複数の第二行電極を有するフラットディスプレイ装置の駆動方法であって、
第一期間で、第一既定波形を発生し、これを前記第一行電極の第一セットに加えると共に、第二既定波形を発生し、これを前記第二行電極に加えるステップ、及び
第二期間で、第一既定波形を発生し、これを前記第一行電極の第二セットに加えると共に、第二既定波形を発生し、これを前記第二行電極に加えるステップ、を含むフラットディスプレイ装置の駆動方法。
【請求項７】
第一期間では、第一行電極の第二セットが浮動状態にされ、第二期間では、第一行電極の第一セットが浮動状態にされる請求項６に記載のフラットディスプレイ装置の駆動方法。
【請求項８】
第一セットと第二セットに分かれる複数の第一行電極と、複数の第二行電極を有するフラットディスプレイ装置の駆動システムであって、
第一既定波形を前記第一行電極の第一セットに加える第一回路、
第一既定波形を前記第一行電極の第二セットに加える第二回路、及び
第二既定波形を前記第二行電極に加える第三回路を含み、
前記第一回路と前記第三回路は、第一期間で駆動され、且つ、前記第二回路と前記第三回路は、第二期間で駆動されるフラットディスプレイ装置の駆動システム。
【請求項９】
第一期間で第一行電極の第二セットの浮動状態を維持させる第四回路、及び、第二期間で第一行電極の第一セットの浮動状態を維持させる第五回路を更に含む請求項８に記載のフラットディスプレイ装置の駆動システム。
【発明の詳細な説明】
【技術分野】
【０００１】
本発明は、フラットディスプレイ装置を駆動する回路及び方法とシステムに関し、特に、不必要なガス放電と絶縁破壊を防ぎ、電力消耗を低減させてプラズマディスプレイパネルを駆動する回路及び方法とシステムに関するものである。
【背景技術】
【０００２】
図１は、従来の電極構造を有するプラズマディスプレイパネル（ＰＤＰ）１０の上面図である。プラズマディスプレイパネル１０は、行電極Ｘ１、Ｙ１、Ｘ２、Ｙ２・・・・・・Ｘｎ、Ｙｎと列電極Ａ１、Ａ２、Ａ３・・・・・・Ａｎの交差により形成されたセルを有するマトリクス装置である。行電極Ｘ１、Ｙ１、Ｘ２、Ｙ２・・・・・・Ｘｎ、Ｙｎは、プラズマディスプレイパネル１０に沿って水平配列され、列電極Ａ１、Ａ２、Ａ３・・・・・・Ａｎは、プラズマディスプレイパネル１０に沿って垂直配列される。このように、基本の格子構造を形成する。
【０００３】
行電極は、共通電極Ｘ１、Ｘ２・・・・・・Ｘｎとスキャン電極Ｙ１、Ｙ２・・・・・・Ｙｎに分かれる。列電極は、アドレス電極Ａ１、Ａ２、Ａ３・・・・・・Ａｎを含む。
【０００４】
図２と図３は、従来のインターレース方式の駆動方法を示し、図１で示した構造を有するプラズマディスプレイパネル１０を駆動する。この方法では、電極Ｘ１、Ｙ１、Ｘ２、Ｙ２・・・・・・Ｘｎ、Ｙｎの間にある維持パルスの位相差は、制御を受け、どのセルをオンし、発光するか決める。
【０００５】
図２は、従来のプラズマディスプレイパネル１０の奇数部分を駆動する駆動方法を示している。この方法では、異なる位相の維持パルスがそれぞれ奇数と偶数のＸ電極とＹ電極の間に加えられる。例えば、Ｘ１、Ｘ３、Ｘ５と対応するＹ１、Ｙ３、Ｙ５の間、又は、Ｘ２、Ｘ４と対応するＹ２、Ｙ４の間に加えられる。これらの異なる位相の維持パルスをそれぞれに加える方法は、奇数（又は偶数）のＸ電極とＹ電極の間にガス放電を発生させる。よって、この駆動方法は、奇数のＸ電極と偶数のＹ電極との間と、偶数のＸ電極と奇数のＹ電極との間の電位差をなくさせる。よって、奇数のＸ電極と偶数のＹ電極との間、又は、偶数のＸ電極と奇数のＹ電極との間は、ガス放電が発生しない。
【０００６】
また、図３は、従来のプラズマディスプレイパネル１０の偶数部分を駆動する駆動方法を示している。この方法では、奇数の例えば、Ｘ１、Ｘ３、Ｘ５のＸ電極と、偶数の例えば、Ｙ２、Ｙ４のＹ電極の間との間に異なる位相の維持パルスが加えられ、偶数の例えば、Ｘ２、Ｘ４のＸ電極と、奇数の例えば、Ｙ１、Ｙ３、Ｙ５のＹ電極の間に異なる位相の維持パルスが加えられる。これらの異なる位相の維持パルスをそれぞれに加える方法は、奇数の例えばＸ１、Ｘ３、Ｘ５のＸ電極と、偶数の例えばＹ２、Ｙ４のＹ電極との間、又は、偶数の例えば、Ｘ２、Ｘ４のＸ電極と、奇数の例えばＹ１、Ｙ３、Ｙ５のＹ電極のと間にガス放電を発生させる。よって、この駆動方法は、奇数と偶数のＸ電極とＹ電極の間、例えば、Ｘ１、Ｘ３、Ｘ５と対応するＹ１、Ｙ３、Ｙ５との間、又は、Ｘ２、Ｘ４と対応するＹ２、Ｙ４との間の電位差をなくさせる。図２と図３に示すような従来のインターレース方式の駆動方法は、図１のような電極構造を有する従来のプラズマディスプレイパネルを駆動するだけに用いられることができ、図１と異なる改善された電極構造を有するプラズマディスプレイパネルに適用されない。
【発明の開示】
【発明が解決しようとする課題】
【０００７】
よって、本発明は、ガス放電と絶縁破壊の問題を防ぐ新しいプラズマディスプレイパネルを駆動する方法及び回路、システムを提供する。
【課題を解決するための手段】
【０００８】
本発明は、フラットディスプレイ装置を駆動する回路、方法とシステムを提供する。前記フラットディスプレイ装置は、複数の第一と第二行電極を有し、前記第一行電極は、更に第一セットと第二セットに分かれる。
【０００９】
本発明の提供する駆動回路は、複数の第一行電極と第二行電極を有し、前記ディスプレイ駆動回路は、第一既定波形を発生させる第一波形発生回路と、第二既定波形を発生させる第二波形発生回路を含み、第一期間では、前記第一波形発生回路は、前記第一既定波形を前記第一行電極の第一セットに出力し、前記第二波形発生回路は、前記第二既定波形を前記第二行電極に出力し、及び第二期間では、前記第一波形発生回路は、前記第一既定波形を前記第一行電極の第二セットに出力し、前記第二波形発生回路は、前記第二既定波形を前記第二行電極に出力する。
【００１０】
本発明の提供する駆動方法は、下記のステップを含む。先ず、第一期間で、第一既定波形を発生し、第一行電極の第一セットに加え、第二既定波形を発生し、第二行電極に加える。次に、第二期間で、第一既定波形を発生し、第一行電極の第二セットに加え、第二既定波形を発生し、第二行電極に加える。第一期間では、第一行電極の第二セットは、第一波形発生回路と接続しておらず、その電位を浮動状態にさせ、第二期間では、第一行電極の第一セットは、第一波形発生回路と接続しておらず、その電位を浮動状態にさせる。
【００１１】
本発明の提供する駆動システムは、第一既定波形を第一行電極の第一セットに加える第一回路、第一既定波形を第一行電極の第二セットに加える第二回路、及び、第二既定波形を第二行電極に加える第三回路を含む。第一回路と第三回路は、第一期間で駆動され、第二回路と第三回路は、第二期間で駆動される。
【発明の効果】
【００１２】
本発明のフラットディスプレイ装置を駆動する回路、方法、システムによれば、エネルギー消耗を減少させ、ディスプレイ効果を増進し、不必要なガス放電と絶縁破壊を防ぐことができる。
【発明を実施するための最良の形態】
【００１３】
本発明についての目的、特徴、長所が一層明確に理解されるよう、以下に実施形態を例示し、図面を参照にしながら、詳細に説明する。
【００１４】
本発明は、フラットディスプレイ装置を駆動する回路、方法とシステムに関し、特に、不必要なガス放電と絶縁破壊を防ぎ、電力消耗を減少するプラズマディスプレイパネルを駆動する回路、方法、システムに関するものである。
【００１５】
図４は、本実施例に係るプラズマディスプレイパネル４０の電極構造の上面図を示している。その構造は、Ｘ−Ｙ−Ｘの形式であり、行電極Ｘ１ａ、Ｘ１ｂ、Ｘ２ａ、Ｘ２ｂ・・・・・・ＸＮａ、ＸＮｂと、Ｙ１、Ｙ２・・・・・・ＹＮと、列電極Ａ１、Ａ２、Ａ３・・・・・・ＡＭを有する。行電極Ｘ１Ａ、Ｘ１Ｂ、Ｘ２Ａ、Ｘ２Ｂ・・・・・・ＸＮＡ、ＸＮＢと、Ｙ１、Ｙ２・・・・・・ＹＮは、水平方式でプラズマディスプレイパネル４０に沿って配列され、列電極Ａ１、Ａ２、Ａ３・・・・・・ＡＭは、垂直方式でプラズマディスプレイパネル４０に沿って配列される。前記行電極は、共通電極Ｘ１ａ、Ｘ１ｂ、Ｘ２ａ、Ｘ２ｂ・・・・・・ＸＮａ、ＸＮｂと、スキャン電極Ｙ１、Ｙ２・・・・・・ＹＮに分かれる。よって、共通電極は、ここではＸａ電極とＸｂ電極と略称され、スキャンラインは、Ｙ電極と略称される。列電極Ａ１、Ａ２、Ａ３・・・・・・ＡＭはまた、アドレス電極と呼ばれる。
【００１６】
図５（Ａ）〜図５（Ｃ）は、本実施例におけるプラズマディスプレイパネルを駆動する方法である。図５（Ａ）では、プラズマディスプレイパネルのＸ−Ｙ−Ｘ電極構造を示しており、Ｘａ電極とＹ電極の間に位置される奇数表示ラインＯ１、Ｏ２・・・・・・ＯＮを有し、Ｘｂ電極とＹ電極の間に位置される偶数表示ラインＥ１、Ｅ２・・・・・・ＥＮを有する。
【００１７】
奇数フィールドで奇数表示ラインＯ１、Ｏ２・・・・・・ＯＮがオンにされたとき画像を表示する。維持パルスが交互にＸａ電極とＹ電極に加えられた時、Ｘｂ電極は浮動状態に設定される。この時、ガス放電がＸａ電極とＹ電極との間に発生する。電極の間にキャパシタンスがあることから、浮動状態にあるＸｂ電極の電位は、Ｘａ電極とＹ電極に加えられた維持パルスに伴って変わる。
【００１８】
偶数フィールドで偶数表示ラインＥ１、Ｅ２・・・・・・ＥＮがオンにされたとき画像を表示する。維持パルスが交互にＸｂ電極とＹ電極に加えられた時、Ｘａ電極は浮動状態に設定され、同時にＸｂ電極とＹ電極の間にガス放電が発生する。電極の間にキャパシタンスがあることから、浮動状態にあるＸａ電極の電位は、Ｘｂ電極とＹ電極に加えられた維持パルスに伴って変わる。
【００１９】
この方法では、Ｘａ電極とＸｂ電極との間の電位差は、維持パルスの期間で比較的低いため、Ｘａ電極とＸｂ電極との間に不必要なガス放電と絶縁破壊が発生しない。また、前記駆動回路は、前記浮動状態にある電極に維持パルスを提供しないことから、電力消耗も減少することができる。
【００２０】
図６は、本実施例の駆動回路６０を示すものである。駆動回路６０は、Ｘａ波形発生回路６１とＸｂ波形発生回路６２を含み、対応するＸ１ａ、Ｘ２ａ・・・・・・ＸＮａとＸ１ｂ、Ｘ２ｂ・・・・・・ＸＮｂを駆動する。また、駆動回路６０は、ドライバ集積回路板６３とＹ波形発生回路６４を有し、電極Ｙ１、Ｙ２・・・・・・ＹＮを駆動する。駆動回路６０は、更にアドレス集積回路板６５を含み、電極Ａ１、Ａ２・・・・・・Ａｎを駆動する。
【００２１】
操作プロセスでは、Ｘａ波形発生回路６１、Ｘｂ波形発生回路６２、Ｙ波形発生回路６４とアドレス集積回路板６５は、対応するＸａ、Ｘｂ、ＹとＡ電極に波形を加える。維持パルス期間は、奇数フィールドを表示するために、Ｘｂ波形発生回路６２の中のスイッチは全部オフにされ、Ｘｂ電極を浮動状態にさせる。同様に、偶数フィールドを表示するために、Ｘａ波形発生回路６１の中のスイッチは、全部オフにされ、Ｘａ電極を浮動状態にさせる。
【００２２】
図７は、本実施例で適用できる他の駆動回路７０である。駆動回路７０は、Ｘ波形発生回路７１を含む。また、駆動回路７０は、スキャン集積回路板７２とＹ波形発生回路７３を含む。Ｘ波形発生回路７１は、スイッチＳＷＡとＳＷＢを通してプラズマディスプレイパネル１０の対応するＸａ電極とＸｂ電極に接続される。駆動回路７０は、更にアドレス集積回路板７４を含み、電極Ａ１、Ａ２・・・・・・Ａｎを駆動する。
【００２３】
この場合の操作プロセスでは、Ｘ波形発生回路７１、Ｙ波形発生回路７３とアドレス集積回路板７４は、対応するＸａ、Ｘｂ、ＹとＡ電極に波形を加える。維持パルス期間は、奇数フィールドを表示するために、スイッチＳＷＢはオフにされ、スイッチＳＷＡはオンにする。これにより、電極Ｘｂは、Ｘ波形発生回路７１と接続されず、Ｘ波形発生回路７１は、電極Ｘａにのみ維持パルスを提供する。偶数フィールドを表示する時、スイッチＳＷＡはオフにされ、スイッチＳＷＢはオンにされる。即ち、電極Ｘａは、Ｘ波形発生回路７１と接続されず、Ｘ波形発生回路７１は、電極Ｘｂにのみ維持パルスを提供する。この駆動回路では、一つのＸ波形発生回路７１だけを必要とすることから、回路コストを削減することができる。
【００２４】
上述の実施例に基づいて、維持パルス期間では、電極Ｘａと電極Ｘｂとの間の電位差が従来の技術より低いため、電極Ｘａと電極Ｘｂとの間に不必要なガス放電と絶縁破壊の発生がない。また、駆動回路は、維持パルスを浮動状態にある電極に加えないため電力消耗を減少する。本発明は、更に、プラズマディスプレイパネルのどの操作期間、特に維持、リセット、スキャン期間にも応用することができる。
【図面の簡単な説明】
【００２５】
【図１】従来のプラズマディスプレイパネルの行電極と列電極の配置構造である。
【図２】従来のプラズマディスプレイパネルの奇数フィールドを駆動する方法である。
【図３】従来のプラズマディスプレイパネルの偶数フィールドを駆動する方法である。
【図４】本発明の実施例の一つのプラズマディスプレイパネルの行電極と列電極の配置構造である。
【図５】本発明の実施例の一つのプラズマディスプレイパネルを駆動する方法である。
【図６】本発明の実施例の一つのプラズマディスプレイパネルの駆動回路である。
【図７】本発明のもう実施例の一つのプラズマディスプレイパネルの駆動回路である。
【符号の説明】
【００２６】
１０、４０  プラズマディスプレイパネル
６０、７０  駆動回路
６１  Ｘａ波形発生回路
６２  Ｘｂ波形発生回路
６３  ドライバ集積回路板
６４、７３  Ｙ波形発生回路
６５、７４  アドレス集積回路板
７１  Ｘ波形発生回路
７２  スキャン集積回路板
【図１】
2005352484.tif 000003
【図２】
2005352484.tif 000004
【図３】
2005352484.tif 000005
【図４】
2005352484.tif 000006
【図５】
2005352484.tif 000007
【図６】
2005352484.tif 000008
【図７】
2005352484.tif 000009